(57)【要約】  【課題】低コストな、かつ極めて偽造に強い防犯システムを実現することができるパターン照合鍵を提供する。  【解決手段】パターン照合鍵６には、ランダムパターンとして、例えば１乃至２ｍｍ四方の紙の繊維パターンが含まれる。パターン照合防犯システム１は、パターン照合鍵６、及びこのパターン照合鍵６が挿入される挿入口４を有するパターン照合錠装置１０とサーバ５とがネットワーク７を介して接続されてなるパターン照合錠システムを有する。制御装置１２は、カメラ１４により取得された識別対象パターンをサーバ５に対して送信し、サーバ５は、予め記憶されている照合画像と取得された識別対象パターンとが一致するか否かを判定し、判定結果を制御装置１２に対して送信する。制御装置１２は、判定結果に基づいて電気錠１６を開錠する。【選択図】図６
2007277821.tif 000002
【特許請求の範囲】
【請求項１】
物体表面のランダムパターンを有し、
このランダムパターンと一致するランダムパターンを記憶している錠装置の開錠及び施錠のいずれかを行う
パターン照合鍵。
【請求項２】
物体表面のランダムパターンからなる照合画像を記憶する記憶手段と、
識別対象パターンを取得する取得手段と、
前記記憶手段により記憶されている照合画像と、前記取得手段により取得された識別対象パターンとが一致するか否かを判定する判定手段と、
前記判定手段により照合画像と識別対象パターンとが一致すると判定された場合に開錠及び施錠のいずれかを行う錠機構と
を有するパターン照合錠装置。
【請求項３】
前記取得手段は、紙の繊維パターンを取得する
請求項２に記載のパターン照合錠装置。
【請求項４】
識別対象パターンが付されたカードを挿入するための挿入口をさらに有し、
前記取得手段は、前記挿入口に挿入されたカードに付された識別対象パターンを取得する
請求項２又は３に記載のパターン照合錠装置。
【請求項５】
前記記憶手段は、複数の照合画像を記憶し、
前記判定手段は、前記記憶手段により記憶されている複数の照合画像のいずれかと、前記取得手段により取得された識別対象パターンとが一致するか否かを判定する
請求項２乃至４のいずれかに記載のパターン照合錠装置。
【請求項６】
識別対象パターンを取得する取得手段と、
物体表面のランダムパターンからなる照合画像を記憶する記憶手段、及び前記記憶手段により記憶されている照合画像と前記取得手段により取得された識別対象パターンとが一致するか否かを判定する判定手段を有するサーバと、
前記サーバにより照合画像と識別対象パターンとが一致すると判定された場合に開錠及び施錠のいずれかを行う錠機構と
を有するパターン照合錠システム。
【請求項７】
識別対象パターンを有する鍵、及びパターン照合錠装置を有するパターン照合防犯システムであって、
前記パターン照合錠装置は、
物体表面のランダムパターンからなる照合画像を記憶する記憶手段と、
前記鍵から識別対象パターンを取得する取得手段と、
前記記憶手段により記憶されている照合画像と、前記取得手段により取得された識別対象パターンとが一致するか否かを判定する判定手段と、
前記判定手段により照合画像と識別対象パターンとが一致すると判定された場合に開錠及び施錠のいずれかを行う錠機構と
を有する
パターン照合防犯システム。
【請求項８】
錠機構を有するパターン照合錠装置において、
物体表面のランダムパターンからなる照合画像を記憶し、
識別対象パターンを取得し、
前記記憶されている照合画像と、前記取得された識別対象パターンとが一致するか否かを判定し、
前記判定により照合画像と識別対象パターンとが一致すると判定された場合に前記錠機構が開錠及び施錠のいずれかを行うように制御する
パターン照合錠装置の制御方法。
【請求項９】
コンピュータと錠機構とを有するパターン照合錠装置において、
物体表面のランダムパターンからなる照合画像を記憶する記憶ステップと、
識別対象パターンを取得する取得ステップと、
前記記憶されている照合画像と、前記取得された識別対象パターンとが一致するか否かを判定する判定ステップと、
前記判定により照合画像と識別対象パターンとが一致すると判定された場合に前記錠機構が開錠及び施錠のいずれかを行うように制御する制御ステップと
を前記パターン照合錠装置のコンピュータに実行させるプログラム。
【発明の詳細な説明】
【技術分野】
【０００１】
本発明は、ホテル、賃貸マンション、一般住宅等の鍵に関する。
【背景技術】
【０００２】
近年、ピッキング等の不正な開錠により住居に侵入される被害が増加している。その対策として、カードキーを用いてデータを認証することにより、施錠及び開錠するものもある。しかしながら、このような鍵は偽造される危険性があり、維持管理にはコストもかかる。
【０００３】
特許文献１において、物体の表面模様を認識し、予め入力された模様と照合し、ロック又はロック解除をする手法が開示されている。しかしながら、この手法では、比較的大きな物体をスキャンすることを想定しているので、運用上、煩雑さが増大してしまう。また、防犯上必要となる基準データの定期的な変更や、維持管理のコストについては考慮されていない。
【０００４】
ところで、紙は、植物繊維が複雑に絡み合ってできており、このような紙の性質を利用して、個々の紙を一意に識別することが注目されている。例えば、特許文献２においては、非検査紙が原本の紙であるか否かを判定する手法が開示されている。
【０００５】
【特許文献１】特開２００４−３６３８０号公報
【特許文献２】特開２００４−１０２５６２号公報
【発明の開示】
【発明が解決しようとする課題】
【０００６】
本発明は、上述した背景からなされたものであり、低コストな、かつ極めて偽造に強いパターン照合鍵を提供することを目的とする。
【課題を解決するための手段】
【０００７】
上記目的を達成するために、本発明に係るパターン照合鍵は、物体表面のランダムパターンを有し、このランダムパターンと一致するランダムパターンを記憶している錠装置の開錠及び施錠のいずれかを行う。
【０００８】
また、本発明に係るパターン照合錠装置は、物体表面のランダムパターンからなる照合画像を記憶する記憶手段と、識別対象パターンを取得する取得手段と、前記記憶手段により記憶されている照合画像と、前記取得手段により取得された識別対象パターンとが一致するか否かを判定する判定手段と、前記判定手段により照合画像と識別対象パターンとが一致すると判定された場合に開錠及び施錠のいずれかを行う錠機構とを有する。
【０００９】
好適には、前記取得手段は、紙の繊維パターンを取得する。
好適には、識別対象パターンが付されたカードを挿入するための挿入口をさらに有し、前記取得手段は、前記挿入口に挿入されたカードに付された識別対象パターンを取得する。
好適には、前記記憶手段は、複数の照合画像を記憶し、前記判定手段は、前記記憶手段により記憶されている複数の照合画像のいずれかと、前記取得手段により取得された識別対象パターンとが一致するか否かを判定する。
【００１０】
また、本発明に係るパターン照合錠システムは、識別対象パターンを取得する取得手段と、物体表面のランダムパターンからなる照合画像を記憶する記憶手段、及び前記記憶手段により記憶されている照合画像と前記取得手段により取得された識別対象パターンとが一致するか否かを判定する判定手段を有するサーバと、前記サーバにより照合画像と識別対象パターンとが一致すると判定された場合に開錠及び施錠のいずれかを行う錠機構とを有する。
【００１１】
また、本発明に係るパターン照合防犯システムは、識別対象パターンを有する鍵、及びパターン照合錠装置を有するパターン照合防犯システムであって、前記パターン照合錠装置は、物体表面のランダムパターンからなる照合画像を記憶する記憶手段と、前記鍵から識別対象パターンを取得する取得手段と、前記記憶手段により記憶されている照合画像と、前記取得手段により取得された識別対象パターンとが一致するか否かを判定する判定手段と、前記判定手段により照合画像と識別対象パターンとが一致すると判定された場合に開錠及び施錠のいずれかを行う錠機構とを有する。
【００１２】
また、本発明に係るパターン照合錠装置の制御方法は、錠機構を有するパターン照合錠装置において、物体表面のランダムパターンからなる照合画像を記憶し、識別対象パターンを取得し、前記記憶されている照合画像と、前記取得された識別対象パターンとが一致するか否かを判定し、前記判定により照合画像と識別対象パターンとが一致すると判定された場合に前記錠機構が開錠及び施錠のいずれかを行うように制御する。
【００１３】
さらに、本発明に係るプログラムは、コンピュータと錠機構とを有するパターン照合錠装置において、物体表面のランダムパターンからなる照合画像を記憶する記憶ステップと、識別対象パターンを取得する取得ステップと、前記記憶されている照合画像と、前記取得された識別対象パターンとが一致するか否かを判定する判定ステップと、前記判定により照合画像と識別対象パターンとが一致すると判定された場合に前記錠機構が開錠及び施錠のいずれかを行うように制御する制御ステップとを前記パターン照合錠装置のコンピュータに実行させる。
【発明の効果】
【００１４】
本発明のパターン照合鍵によれば、低コストな、かつ極めて偽造に強い防犯システムを実現することができる。
【発明を実施するための最良の形態】
【００１５】
まず、本発明の実施形態に係るパターン照合鍵を説明する。
図１は、パターン照合鍵を説明する図であって、図１（Ａ）は、紙の繊維パターンを例示し、図１（Ｂ）は、紙からなるパターン照合鍵を示し、図１（Ｃ）は、プラスチックあるいは銀塗装面からなるパターン照合鍵を示す。
図１（Ａ）に例示するように、紙は、植物繊維が複雑に絡み合ってできている。植物繊維の幅は、一般に４〜７０μｍであり、広葉樹から作られた普通紙では１０〜５０μｍ、針葉樹から作られた普通紙では２０〜７０μｍである。
【００１６】
紙に含まれる植物繊維等のランダムパターンを、それぞれの紙を識別する「指紋」として用いることをＰＦＰ（紙指紋；Paper Finger Print）技術ともいう。なお、ＰＦＰ技術は、紙だけではなく、ランダムパターンを持つ物体、例えばブラスト処理された金属板や銀塗装されたプラスチック板などにも適用されうる。
【００１７】
本発明の実施形態に係るパターン照合鍵は、このように自然に形成されるランダムパターンを鍵として用いる。
図１（Ｂ）及び図１（Ｃ）に示すように、パターン照合鍵は、紙、プラスチックあるいは銀塗装のランダムなパターンを有する。図１（Ｂ）に示されるパターン照合鍵は、ランダムパターンとして紙の繊維パターンを有する。識別対象となるランダムパターン部分は、カードキーの少なくとも一部に含まれ、その面積は、１乃至２ｍｍ四方である。カードキーのいずれかの箇所に「鍵」部分の１乃至２ｍｍ四方の平面領域が確保されていればよいので、カードキー全体のデザインの自由度が非常に高くなり、カードキーの小型化が容易である。
【００１８】
パターン照合鍵は、後述するパターン照合錠装置により、本物であるか偽者であるかを判定される。パターン照合鍵が本物であると判定された場合、当該パターン照合鍵のランダムパターンと一致するランダムパターンを記憶しているパターン錠装置の開錠及び施錠のいずれかを行う。
【００１９】
紙の繊維パターンを意図的に再現することは困難であることから、上記のパターン照合鍵それぞれは極めて高精度に識別されることができ、その偽造は極めて困難である。また、紙の繊維パターンを含むパターン照合鍵は、容易に製造されることができ、その製造及び維持管理にかかるコストも低い。
【００２０】
次に、本発明の第１の実施形態に係るパターン照合防犯システムを説明する。
図２は、パターン照合鍵６とそれに対応するパターン照合錠装置１０とを有するパターン照合防犯システム１を示す図である。
図２に示すように、パターン照合防犯システム１は、ＰＦＰ登録部８を有するパターン照合鍵６と、このパターン照合鍵６が挿入される挿入口４を有するパターン照合錠装置１０とを有する。パターン照合錠装置１０は、図中のＡが拡大されて示すように、制御装置１２、カメラ１４及び電気錠１６を有する。
【００２１】
パターン照合錠装置１０は、物体表面のランダムパターンからなる照合画像を記憶し、カメラ１４を介してパターン照合鍵６のＰＦＰ登録部８から識別対象パターンを取得し、記憶されている照合画像と取得された識別対象パターンとが一致するか否かを判定し、照合画像と識別対象パターンとが一致すると判定された場合に電気錠１６が開錠及び施錠のいずれかを行うように制御する。パターン照合錠装置１０は、例えば、ホテル、賃貸マンション、事業所、一般住宅、並びに金庫のドア２に設けられている。
【００２２】
カメラ１４は、例えば６４０×４８０（約３０万画素）の有効画素を有する白黒タイプのＣＣＤである。カメラ１４は、パターン照合鍵６が挿入口４に挿入されると、有効画素が占める領域全体に対し、当該パターン照合鍵６に付されたＰＦＰ登録部８を含む領域（例えば、７．７ｍｍ×５．７ｍｍの領域）が図示しない光学系（レンズ）によって結像するようにされている。ここで、１画素当たりのパターン照合鍵６上の観測領域は、約１２μｍ×１２μｍ（７．７ｍｍ／６４０≒１２μｍ、５．７ｍｍ／４８０≒１２μｍ）となっている。カメラ１４は、ＰＦＰ登録部８を含む領域を結像して取得した画像データを識別対象パターンとして制御装置１２に対して出力する。なお、カメラ１４は、パターン照合鍵６上のＰＦＰ登録部８を、例えば６４×６４画素程度の画像データとして取得してもよい。
【００２３】
制御装置１２は、ドア２に対応する照合画像を予め記憶しており、この照合画像とカメラ１４により取得された識別対象パターンとが一致するか否かを判定し、一致する場合には電気錠１６がドア２の開錠及び施錠のいずれかを行う旨の制御信号を電気錠１６に対して出力する。制御装置１２は複数の照合画像を記憶しておいてもよく、この場合、制御装置１２は、当該複数の照合画像のいずれかと、取得された識別対象パターンとが一致するか否かを判定する。なお、制御装置１２については後で詳述する。
【００２４】
電気錠１６は、開錠及び施錠のためのアクチュエータ（例えば、モータ、ソレノイド等）を有し、制御装置１２の制御により開錠及び施錠のいずれかを行う。例えば、電気錠１６は、制御装置１２により照合画像と識別対象パターンとが一致すると判定された場合に開錠する。
【００２５】
図３は、制御装置１２のハードウェア構成を示す図である。
図３に例示するように、制御装置１２は、ＣＰＵ１８、メモリ２０、ネットワークを介して外部のコンピュータ及びカメラ１４などとデータの送信及び受信を行う通信インタフェース（ＩＦ）２２、ハードディスクドライブ（ＨＤＤ）、ＣＤ並びにＤＶＤ装置等の記憶装置２４、ＬＣＤ表示装置並びにタッチパネルなどを含み、ユーザからの操作を受け付けるユーザインタフェース（ＵＩ）装置２６、及び電気錠１６に対して制御信号を出力するための錠制御ＩＦ２８を有する。制御装置１２は、例えば、後述するパターン照合錠制御プログラム５０がインストールされたコンピュータである。
【００２６】
図４は、本発明の実施形態に係るパターン照合錠装置１０の制御方法を実現するパターン照合錠制御プログラム５０の機能構成を示す図である。
図４に示すように、パターン照合錠制御プログラム５０は、画像受付部５２、判定部５４、錠制御部５６及び照合データ記憶部５８を有する。
パターン照合錠制御プログラム５０は、メモリ２０にロードされて、ＣＰＵ１８により実行される。なお、パターン照合錠制御プログラム５０の全部又は一部の機能は、制御装置１２に設けられた例えばＡＳＩＣなどのハードウェアにより実現されてもよい。また、以降に示されるプログラムについても同様である。
【００２７】
パターン照合錠制御プログラム５０は、これらの構成により、物体表面のランダムパターンからなる照合画像を記憶し、カメラ１４により取得された識別対象パターンを受け付け、前記記憶されている照合画像と、前記取得された識別対象パターンとが一致するか否かを判定し、前記判定により照合画像と識別対象パターンとが一致すると判定された場合に電気錠１６が開錠及び施錠のいずれかを行うように制御する。
【００２８】
照合データ記憶部５８は、パターン照合錠装置１０が設けられたドア２を開閉するためのパターン照合鍵６に付されたランダムパターン（例えば、植物繊維のパターン）からなる照合画像を記憶する。照合データ記憶部５８は、複数の照合画像を記憶してもよい。この場合、当該複数の照合画像は、それぞれ異なるパターン照合鍵６に付されたランダムパターンに対応するものであり、これらのパターン照合鍵６はいわゆる合鍵の役割を果たす。照合データ記憶部５８は、メモリ２０、記憶装置２４等により実現される。
【００２９】
また、照合データ記憶部５８には、照合画像と、例えばホテルの部屋番号と、有効期限又は有効回数とが対応付けられて格納されてもよい。この場合、当該部屋のドア２における照合処理において、当該照合画像は、記憶されている有効期限内に限り有効となる。また、照合画像は、予め記憶されている有効回数を超えない限り有効とされてもよい。
【００３０】
パターン照合錠制御プログラム５０において、画像受付部５２は、カメラ１４により取得された識別対象パターンを受け付けて判定部５４に対して出力する。識別対象パターンは、例えば、３２×３２画素〜６４×６４画素の画像データであって、１ＫＢ程度のデータである。
【００３１】
判定部５４は、照合データ記憶部５８により記憶されている照合画像と、カメラ１４により取得された識別対象パターンとが一致するか否かを判定する。複数の照合画像が照合データ記憶部５８に記憶されている場合、判定部５４は、当該複数の照合画像のいずれかと、取得された識別対象パターンとが一致するか否かを判定する。
【００３２】
より具体的には、判定部５４は、入力された識別対象パターンに対して、１画素ずつずらされた複数の照合用領域を設定し、それぞれの照合用領域において照合画像との相関値を算出する。判定部５４は、相関値の最大値及び相関値の最大値を正規化した値（ノーマライズドスコア）に基づいて、照合画像と類似度の高いパターンが含まれているか否かを判定することにより、記憶されている照合画像と、パターン照合鍵６から取得された識別対象パターンとの同一性を判定する。
【００３３】
錠制御部５６は、判定部５４により照合画像と識別対象パターンとが一致すると判定された場合、電気錠１６に対して開錠及び施錠のいずれかを行う旨の制御信号を出力する。このため、電気錠１６は、錠制御部５６から出力された制御信号に基づいて、開錠及び施錠のいずれかを行う。
【００３４】
なお、紙を形成する植物繊維の幅が４〜７０μｍであるため、解像度を２４００ｄｐｉとすると、ごく少数の植物繊維に由来する特徴量の分布を反映することとなり、同一性の判定精度が低下する場合がある。したがって、十分な判定精度を得るために、照合画像及び識別対象パターンは、少なくとも１６×１６画素の領域であることが好ましい。好適には、これらの判定対象となる領域は、１６×１６〜２５６×２５６画素である。解像度がさらに高い場合には、当該領域は、３２×３２〜２５６×２５６画素であることが好ましい。また、カメラ１４の解像度が高く、１画素当たりの観測領域の一辺の長さが４μｍ未満である場合には、制御装置１２は、受け付けた画像データに対して標本化処理（モザイク処理など）を施してから判定処理を行ってもよい。
【００３５】
図５は、パターン照合錠制御プログラム５０によるパターン制御錠制御処理（Ｓ１０）をフローチャートである。
図５に示すように、ステップ１００（Ｓ１００）において、パターン照合錠制御プログラム５０（図４）の画像受付部５２は、カメラ１４（図２）がユーザにより挿入口４に挿入されたパターン照合鍵６から取得した画像データ（識別対象パターン）を受け付けたか否かを判定する。パターン照合錠制御プログラム５０は、画像受付部５２が識別対象パターンを受け付けた場合にはＳ１０２の処理に進み、そうでない場合にはＳ１００の処理に戻る。なお、パターン照合錠装置１０が設けられたドア２は施錠されている。
【００３６】
ステップ１０２（Ｓ１０２）において、判定部５４は、照合データ記憶部５８に記憶されている照合データを参照する。
ステップ１０４（Ｓ１０４）において、判定部５４は、画像受付部５２から入力された識別対象パターンと照合画像とが一致するか否かを判定する。パターン照合錠制御プログラム５０は、識別対象パターンと照合画像とが一致すると判定された場合にはＳ１０６の処理に進み、そうでない場合には処理を終了する。
【００３７】
ステップ１０６（Ｓ１０６）において、錠制御部５６は、電気錠１６に対して開錠（又は施錠）を行う旨の制御信号を出力する。電気錠１６は、制御装置１２からの制御信号に基づいて、開錠する。このようにして、ユーザは、パターン照合鍵６を用いて、パターン照合錠装置１０を開錠する。
【００３８】
以上説明したように、本発明の実施形態に係るパターン照合鍵６は、物体表面のランダムパターンを有し、このランダムパターンと一致するランダムパターンを記憶している錠装置の開錠及び施錠のいずれかを行う。また、本発明の実施形態に係るパターン照合錠装置１０は、物体表面のランダムパターンからなる照合画像を記憶する記憶手段と、識別対象パターンを取得する取得手段と、前記記憶手段により記憶されている照合画像と、前記取得手段により取得された識別対象パターンとが一致するか否かを判定する判定手段と、前記判定手段により照合画像と識別対象パターンとが一致すると判定された場合に開錠及び施錠のいずれかを行う錠機構とを有する。
【００３９】
これにより、パターン照合錠装置１０は、記憶される照合画像（パターン照合鍵６に付されたランダムパターンに対応するデータ）を変更するだけで複数のパターン照合鍵６に対応できるので、低コストで実現されることができる。
【００４０】
また、パターン照合鍵６のランダムパターンは紙の繊維パターンからなり、パターン照合錠装置１０は、パターン照合鍵６に付された紙の繊維パターンを取得する。これにより、パターン照合鍵６は、極めて低コストに実現されることができ、また、極めて偽造に強いものとなる。このため、パターン照合鍵６は、使い捨てや持ち帰り可能なホテルキー等、一時利用の鍵として用いられることができる。紙の繊維パターンの偽造は事実上不可能であるので、パターン照合鍵６によれば、スキミング等による被害を防止することができる。なお、パターン照合鍵６のランダムパターンは、紙だけでなく、プラスチック版、金属板からなってもよい。
【００４１】
合鍵が必要とされる場合には、パターン照合錠装置１０が複数の照合画像を記憶することにより、複数のパターン照合鍵６に対応するパターン照合錠装置１０が極めて容易に実現されることができる。
【００４２】
また、パターン照合錠装置１０は、識別対象パターンが付されたカード（パターン照合鍵６）を挿入するための挿入口をさらに有し、この挿入口に挿入されたカードに付された識別対象パターンを取得する。このカードには、１乃至２ｍｍ四方のランダムパターン（紙の繊維パターン）が付されていればよく、デザインの自由度が非常に高い鍵であって持ち運びも容易な鍵が実現されることができる。
【００４３】
なお、ランダムパターンは、２乃至３ｍｍ四方のＰＦＰシールとして実現されて、指輪、眼鏡、携帯電話など、ユーザが普段持ち歩くものに貼付されてもよい。この場合、ＰＦＰシールは、簡易な本人認証として用いられることができ、このようにして実現される本人認証は頑健であって対応率が高い。しかも、貼付された位置は本人のみが知りうるので、セキュリティが向上する。例えば、ＰＦＰによる本人認証は、カード利用時に、暗証番号や生体情報確認の代わりに用いられることができる。
【００４４】
次に、本発明の第２の実施形態に係るパターン照合防犯システムを説明する。
図６は、パターン照合鍵６とそれに対応するパターン照合錠システムとを有するパターン照合防犯システム３を示す図である。
図６に示すように、パターン照合防犯システム１は、ＰＦＰ登録部８を有するパターン照合鍵６、及びこのパターン照合鍵６が挿入される挿入口４を有するパターン照合錠装置１０とサーバ５とがネットワーク７を介して接続されてなるパターン照合錠システムを有する。なお、図６に示された各構成のうち、図２に示された構成と実質的に同一のものには同一の符号が付されている。
本実施形態では、制御装置１２が、カメラ１４により取得された識別対象パターンをサーバ５に対して送信し、サーバ５が、予め記憶されている照合画像と取得された識別対象パターンとが一致するか否かを判定し、判定結果を制御装置１２に対して送信する。なお、サーバ５のハードウェア構成は、図３に示されるものと実質的に同一である。
【００４５】
図７は、パターン照合錠装置１０の制御装置１２により実行されるパターン確認錠制御プログラム６０の機能構成を示す図である。
図７に示すように、パターン確認錠制御プログラム６０は、画像受付部５２、確認部６２、錠制御部５６及び照合データ記憶部５８を有する。なお、図７に示された各構成のうち、図４に示された構成と実質的に同一のものには同一の符号が付されている。
【００４６】
パターン確認錠制御プログラム６０において、確認部６２は、カメラ１４により取得された画像データ（識別対象パターン）を受け付け、この識別対象パターンをネットワーク７を介してサーバ５に対して送信し、サーバ５によりなされた判定処理の結果を受け付けて、この判定結果を錠制御部５６に対して出力する。確認部６２は、パターン照合錠装置１０が設けられている例えば「７０７」等の部屋番号を、識別対象パターンとともにサーバ５に対して送信してもよい。
【００４７】
図８は、サーバ５により実行されるパターン照合プログラム７０の機能構成を示す図である。
図８に示すように、パターン照合プログラム７０は、画像受付部５２、判定部５４、結果送信部７２、照合データ記憶部５８及び登録部７４を有する。なお、図８に示された各構成のうち、図４に示された構成と実質的に同一のものには同一の符号が付されている。
パターン照合プログラム７０において、判定部５４は、照合データ記憶部５８に記憶されている照合画像と画像受付部５２により取得された識別対象パターン（即ち、制御装置１２から送信された識別対象パターン）とが一致するか否かを判定する。このとき、判定部５４は、該当する部屋の照合画像と、取得された識別対象パターンの同一性を判定する。また、判定部５４は、当該照合画像の有効期限等に基づいて当該照合画像が有効であるか否かを判定してもよい。
【００４８】
結果送信部７２は、判定部５４から判定結果を受け付け、この判定結果をネットワーク７を介して制御装置１２に対して送信する。
登録部７４は、図示しない複合機（ＭＦＰ；Multi-Function Peripherals）、ＰＣ用フラットベッドスキャナ、ディジタルカメラ等により取得された照合画像を受け付けて、照合データ記憶部５８に格納する。このとき、登録部７４は、照合画像とともに、ユーザがサーバ５のＵＩ装置２６を介して入力する例えばホテル等の部屋番号、有効期限、有効回数などを受け付けてもよい。
【００４９】
図９は、本実施形態に係るパターン照合防犯システム３の全体動作（Ｓ２０）を示すシーケンス図である。
図９に示すように、ステップ２００（Ｓ２００）において、本システムの管理者は、サーバ５のＵＩ装置２６等を用いて照合画像、部屋番号、有効期限等を入力する。サーバ５のパターン照合プログラム７０（図８）の登録部７４は、入力された照合画像等を受け付けて、照合データ記憶部５８に格納する。また、管理者は、当該照合画像に対応するランダムパターンをパターン照合鍵６のＰＦＰ登録部８に、例えば貼付する。
【００５０】
ステップ２０２（Ｓ２０２）において、ユーザは、このパターン照合鍵６を、部屋番号７０７のドア２に設けられたパターン照合錠装置１０の挿入口４に挿入する。パターン照合鍵６がパターン照合錠装置１０に挿入されると、当該パターン照合鍵６の識別対象パターンがカメラ１４により取得され、制御装置１２に対して出力される。制御装置１２上では、パターン確認錠制御プログラム６０（図７）の画像受付部５２が識別対象パターンを受け付ける。
【００５１】
ステップ２０４（Ｓ２０４）において、確認部６２は、画像受付部５２から当該識別対象パターンを受け付けて、ネットワーク７を介してサーバ５に対して送信する。
ステップ２０６（Ｓ２０６）において、当該識別対象パターンが、サーバ５上で動作するパターン照合プログラム７０の画像受付部５２により受け付けられると、この識別対象パターンと、照合データ記憶部５８に記憶されている照合画像との同一性が判定部５４により判定される。なお、判定部５４は、部屋番号に対応づけて記憶されている照合画像との同一性を判定してもよい。
【００５２】
ステップ２０８（Ｓ２０８）において、判定結果が、サーバ５から制御装置１２に対して送信される。
ステップ２１０（Ｓ２１０）において、パターン確認錠制御プログラム６０の錠制御部５６は、確認部６２を介して当該判定結果を受け付ける。この判定結果が、挿入されたパターン照合鍵６から取得された識別対象パターンとこの部屋の照合画像とが一致する旨を示すものである場合、錠制御部５６は、この部屋のドア２を開錠（又は施錠）する旨の制御信号を電気錠１６に対して出力する。電気錠１６は、制御信号を受け付けると開錠する。
【００５３】
以上説明したように、本実施形態に係るパターン照合錠システムは、識別対象パターンを取得する取得手段と、物体表面のランダムパターンからなる照合画像を記憶する記憶手段、及び前記記憶手段により記憶されている照合画像と前記取得手段により取得された識別対象パターンとが一致するか否かを判定する判定手段を有するサーバと、前記サーバにより照合画像と識別対象パターンとが一致すると判定された場合に開錠及び施錠のいずれかを行う錠機構とを有する。
【００５４】
これにより、ホテルや賃貸マンションにおいて、鍵の集中管理が実現されることができる。その際、パターン照合鍵６は、紙の繊維パターンを有するものであり、サーバ５に記憶される照合画像は、複合機等により容易に読み取られてサーバ５に格納されるので、維持管理のコストが低減されることができる。
【００５５】
また、照合画像を読み取るための複合機等が、例えばホテルのフロントに設けられている場合、例えば、チェックインの際にパターン照合鍵６を生成し、滞在日数を有効期限として登録することにより、当該滞在者のみに対応するパターン照合鍵６が容易に生成されることができる。なお、有効期限は、賃貸マンションの契約期間や所定のイベント期間等であってもよい。
【００５６】
図１０は、パターン照合防犯システム３が、ホテルや賃貸マンション等、複数のパターン照合錠装置１０−１〜１０−ｎを含む場合を例示する図である。
図１０に例示するように、複数のパターン照合錠装置１０−１〜１０−ｎが設けられている場合においても、パターン照合錠装置１０−１〜１０−ｎのそれぞれは同一の機器構成であり、それぞれの部屋の番号と照合画像とが対応付けられてサーバ５に記憶されるので、パターン照合鍵６並びにパターン照合錠装置１０の製造コスト、及び維持管理のコストは低減されることができる。
【図面の簡単な説明】
【００５７】
【図１】パターン照合鍵を説明する図であって、図１（Ａ）は、紙の繊維パターンを例示し、図１（Ｂ）は、紙からなるパターン照合鍵を示し、図１（Ｃ）は、プラスチックあるいは銀塗装面からなるパターン照合鍵を示す。
【図２】本発明の第１の実施形態に係るパターン照合鍵６とそれに対応するパターン照合錠装置１０とを有するパターン照合防犯システム１を示す図である。
【図３】制御装置１２のハードウェア構成を示す図である。
【図４】本発明の第１の実施形態に係るパターン照合錠装置１０の制御方法を実現するパターン照合錠制御プログラム５０の機能構成を示す図である。
【図５】パターン照合錠制御プログラム５０によるパターン制御錠制御処理（Ｓ１０）をフローチャートである。
【図６】本発明の第２の実施形態に係るパターン照合鍵６とそれに対応するパターン照合錠システムとを有するパターン照合防犯システム３を示す図である。
【図７】パターン照合錠装置１０の制御装置１２により実行されるパターン確認錠制御プログラム６０の機能構成を示す図である。
【図８】サーバ５により実行されるパターン照合プログラム７０の機能構成を示す図である。
【図９】本発明の第２の実施形態に係るパターン照合防犯システム３の全体動作（Ｓ２０）を示すシーケンス図である。
【図１０】パターン照合防犯システム３が、ホテルや賃貸マンション等、複数のパターン照合錠装置１０−１〜１０−ｎを含む場合を例示する図である。
【符号の説明】
【００５８】
１ パターン照合防犯システム
３ パターン照合防犯システム
４ 挿入口
５ サーバ
６ パターン照合鍵
７ ネットワーク
８ ＰＦＰ登録部
１０ パターン照合錠装置
１２ 制御装置
１４ カメラ
１６ 電気錠
１８ ＣＰＵ
２０ メモリ
２４ ハードディスクドライブ
２４ 記憶装置
２６ ＵＩ装置
２８ 錠制御ＩＦ
５０ パターン照合錠制御プログラム
５２ 画像受付部
５４ 判定部
５６ 錠制御部
５８ 照合データ記憶部
６０ パターン確認錠制御プログラム
６２ 確認部
７０ パターン照合プログラム
７２ 結果送信部
７４ 登録部
【図１】
2007277821.tif 000003
【図２】
2007277821.tif 000004
【図３】
2007277821.tif 000005
【図４】
2007277821.tif 000006
【図５】
2007277821.tif 000007
【図６】
2007277821.tif 000008
【図７】
2007277821.tif 000009
【図８】
2007277821.tif 000010
【図９】
2007277821.tif 000011
【図１０】
2007277821.tif 000012